(57)【要約】【課題】駆動時の振動低減と生産性の向上とを図ることができる、内燃機関を提供する。【解決手段】この内燃機関１は、クランクシャフト５を備える。また内燃機関１は、平面形状が円形状であって、その平面形状である円の中心においてクランクシャフト５の端部に装着されている、円形部材としてのクランクプーリ６およびフライホイール７を備える。円形部材には、内燃機関１を駆動すると円形部材に発生する、円形部材を偏心させる力の方向に対し、円形部材の平面形状である円の中心から円形部材の重心に向かう方向が逆方向となるように、アンバランスマスが設けられている。アンバランスマスは、内燃機関１の組立て完了以前に、円形部材に設けられている。【選択図】図１
2009167974.tif 000002
【特許請求の範囲】
【請求項１】
クランクシャフトと、
平面形状が円形状であり、前記円形状の中心が前記クランクシャフトの端部に装着されている、円形部材とを備える内燃機関であって、
前記円形部材には、内燃機関を駆動すると前記円形部材に発生する、前記円形部材を偏心させる力の方向に対し、前記円形部材の平面形状である円の中心から前記円形部材の重心に向かう方向が逆方向となるように、アンバランスマスが設けられており、
前記アンバランスマスは、前記内燃機関の組立て完了以前に、前記円形部材に設けられている、内燃機関。
【請求項２】
前記クランクシャフトの一端にクランクプーリが装着され、他端にフライホイールまたはドライブプレートが装着されており、
前記円形部材は、クランクプーリである、請求項１に記載の内燃機関。
【請求項３】
前記クランクシャフトの一端にクランクプーリが装着され、他端にフライホイールまたはドライブプレートが装着されており、
前記円形部材は、フライホイールまたはドライブプレートである、請求項１に記載の内燃機関。
【請求項４】
内燃機関の製造方法であって、
前記内燃機関を組み立てる工程と、
次いで、前記内燃機関を検査する工程とを備え、
前記内燃機関を組み立てる工程は、
クランクシャフトを成形する工程と、
平面形状が円形状の円形部材を形成する工程と、
内燃機関を駆動すると前記円形部材に発生する、前記円形部材を偏心させる力の方向に対し、前記円形部材の平面形状である円の中心から前記円形部材の重心に向かう方向が逆方向となるように、前記円形部材にアンバランスマスを設ける工程と、
前記円形部材を前記クランクシャフトの端部に装着する工程とを含む、内燃機関の製造方法。
【発明の詳細な説明】
【技術分野】
【０００１】
本発明は、内燃機関およびその製造方法に関する。
【背景技術】
【０００２】
車両などに搭載される内燃機関が駆動するとき、ピストンやコンロッドなどの往復運動部品の部品毎の質量バラツキ、クランクシャフトやプーリなどの回転部品の回転軸まわりの回転アンバランス、動弁系の開閉運動などを原因として、振動が発生する場合がある。内燃機関に振動が発生すると、騒音が発生するという問題があるために、内燃機関の駆動時の振動低減が重要視されている。
【０００３】
内燃機関の振動は、往復運動部品の公差を低減して個々の部品の質量バラツキを低減させる、また回転部品個々の加工精度を向上させてアンバランスを低減させるなどの対策を行ない、各気筒ごとのバラツキを低減することで、抑制することができる。機械力学上、各気筒ごとのバラツキが残存すれば、内燃機関にアンバランスが発生して、振動が発生することになる。しかしながら、個々の部品精度を向上させて部品毎のバラツキを低減するのは限界がある。
【０００４】
そこで、内燃機関の組立て後に駆動時の振動を測定し、アンバランスを低減するようにウエイトを付与するなどして、回転一次のバランスを上げ、振動を抑制する種々の技術が提案されている（たとえば特許文献１〜４参照）。特許文献１では、アンバランスマスを設けたバランサシャフトを配設し、クランクシャフトのトルク変動を相殺してバランスを向上させる技術が提案されている。特許文献２では、クランクシャフトのバランスを調整するためのウエイトマスをロータ本体に備える技術が提案されている。特許文献３では、クランク軸の端部に固定されたフライホイルに釣り合い錘部および補助釣り合い錘部を形成する技術が提案されている。特許文献４では、クランク軸に取付けられるフライホイルにダイナミックダンパを設ける技術が提案されている。
【特許文献１】特開２０００−２４８９５８号公報
【特許文献２】特開２００６−６３８３６号公報
【特許文献３】特開平９−２５９９８号公報
【特許文献４】実開平５−５２４００号公報
【発明の開示】
【発明が解決しようとする課題】
【０００５】
上記文献において提案されている従来の内燃機関の振動低減技術によると、内燃機関一台毎に組立て後のアンバランスを測定し、続いて、アンバランスを低減して規定値内のバランス率にするために、アンバランスマスを付与してバランス修正するなどの調整を行ない、その後さらに再検査する必要がある。そのため工程が複雑となり、また内燃機関一台毎のアンバランス測定には手間がかかるので、内燃機関の生産性の向上の点で難点があった。
【０００６】
また、たとえば特許文献１に提案されている、アンバランスマスを具備したバランサシャフトを取り付ける振動低減技術では、内燃機関の構造の複雑化および原価上昇の問題があった。
【０００７】
本発明は上記の問題に鑑みてなされたものであり、その主たる目的は、駆動時の振動低減と生産性の向上とを図ることができる、内燃機関およびその製造方法を提供することである。
【課題を解決するための手段】
【０００８】
本発明者は、内燃機関の駆動時に発生するアンバランスについて鋭意検討した。その結果、内燃機関のアンバランスは、内燃機関の特性に依存して、内燃機関の種類毎に特定の方向に発生することを見出し、本発明を以下のような構成とした。
【０００９】
すなわち、本発明に係る内燃機関は、クランクシャフトと、平面形状が円形状である円形部材とを備える。円形部材は、その平面形状である円の中心において、クランクシャフトの端部に装着されている。円形部材には、内燃機関を駆動すると円形部材に発生する、円形部材を偏心させる力の方向に対し、円形部材の平面形状である円の中心から円形部材の重心に向かう方向が逆方向となるように、アンバランスマスが設けられている。アンバランスマスは、内燃機関の組立て完了以前に、円形部材に設けられている。
【００１０】
上記内燃機関において好ましくは、クランクシャフトの一端にクランクプーリが装着され、他端にフライホイールまたはドライブプレートが装着されている。円形部材は、クランクシャフトの一端に装着された、クランクプーリである。
【００１１】
また好ましくは、円形部材は、クランクシャフトの他端に装着された、フライホイールまたはドライブプレートである。
【００１２】
本発明に係る内燃機関の製造方法は、内燃機関を組み立てる工程と、次いで、内燃機関を検査する工程とを備える。内燃機関を組み立てる工程は、クランクシャフトを成形する工程と、平面形状が円形状の円形部材を形成する工程と、円形部材にアンバランスマスを設ける工程と、円形部材をクランクシャフトの端部に装着する工程とを含む。円形部材にアンバランスマスを設ける工程では、内燃機関を駆動すると円形部材に発生する、円形部材を偏心させる力の方向に対し、円形部材の平面形状である円の中心から円形部材の重心に向かう方向が逆方向となるように、円形部材にアンバランスマスを設ける。
【発明の効果】
【００１３】
本発明の内燃機関およびその製造方法によると、内燃機関の駆動時の振動を低減することができる。また、内燃機関の組立ての段階でバランス修正を完了しており、別途個々の内燃機関に対してアンバランス測定およびバランス修正をする工程を省略することができる。したがって、内燃機関の生産性を向上させることができる。
【発明を実施するための最良の形態】
【００１４】
以下、図面に基づいてこの発明の実施の形態を説明する。なお、以下の図面において、同一または相当する部分には同一の参照番号を付し、その説明は繰返さない。
【００１５】
図１は、本実施の形態の内燃機関の構成を示す部分断面模式図である。図１に示すように、内燃機関１は、円筒形状のシリンダ２を備える。シリンダ２の内部にはピストン３が配設されている。ピストン３はシリンダ２の円筒形状の軸方向に沿って往復運動を行なう、往復運動部品である。ピストン３は、コンロッド４を介在させて、クランクシャフト５に接続されている。コンロッド４は、ピストン３とクランクシャフト５とを連結する棒状の部材であって、ピストン３の往復運動をクランクシャフト５の回転運動に変換する働きをする。
【００１６】
クランクシャフト５は、シリンダ２の下部に設置されたクランクケース内に収納されている。クランクシャフト５は、回転運動を行なう回転軸を有する、回転部品である。クランクシャフト５の一方の端部である、内燃機関前方側の端部には、クランクプーリ６が装着されている。またクランクシャフト５の他方の端部である、内燃機関後方側の端部には、フライホイール７が装着されている。クランクプーリ６およびフライホイール７は、平面形状が円形状であり、その円形状の中心がクランクシャフト５の端部に装着固定されている、円形部材である。
【００１７】
ピストン３を収納するシリンダ２の外周部には、ウォータージャケット８が形成されており、ウォータージャケット８の内部には冷却水９が注入されている。シリンダ２およびピストン３は、冷却水９によって冷却される。そのため、内燃機関１は、熱によるピストン３の焼きつきや磨耗を抑制できる構造となっている。
【００１８】
クランクシャフト５を収納するクランクケースの下部は、オイルパン１０となっており、その内部には潤滑オイル１１が溜められている。潤滑オイル１１は、内燃機関１の駆動中に発生する動力の一部を利用して図示しないオイルポンプをまわすことによって吸い上げられ、内燃機関１の各部に送られて各部品間の潤滑を行なうと共に、各部品の冷却を行なう。
【００１９】
クランクシャフト５の端部に装着されたクランクプーリ６の周囲には、タイミングベルト１２が巻回されている。タイミングベルト１２はまた、内燃機関１の上部のカムシャフト１３の端部に設けられたプーリに巻回されている。クランクシャフト５の回転運動は、タイミングベルト１２を介在させてカムシャフト１３に伝達され、カムシャフト１３を回転運動させる動力となる。
【００２０】
なお、クランクシャフト５およびカムシャフト１３の、各々の内燃機関前方側の端部には、プーリに代えてスプロケットが設置され、クランクシャフト５とカムシャフト１３とはタイミングチェーンを介在させて連結されている構造であってもよい。
【００２１】
カムシャフト１３には、吸気バルブ１４および排気バルブ１５が連結されている。カムシャフト１３の回転運動はロッカーアームによって往復運動に変換され、カムシャフト１３の回転に従って吸気バルブ１４および排気バルブ１５の開閉運動が可能となっている。吸気バルブ１４が開状態であるときに、シリンダ２内に燃料と空気との混合気が吸入される。ピストン３が上昇して上死点に近づく側へ移動すると、混合気は圧縮される。その状態で点火プラグ１６において火花を発生させると、混合気が爆発して膨張し、ピストン３を押し下げる動力が発生する。この動力によって、ピストン３はシリンダ２の内部において往復運動を行なう。
【００２２】
クランクシャフト５の内燃機関後方側、すなわち、エンジンにおいてトランスミッションが配置される側である出力側の端部に装着されている、フライホイール７は、クランクシャフト５の回転する勢いを保ち、回転力のむらを小さくして滑らかに回転させるための、はずみ車として機能する。図１に示すように、フライホイール７の外周部はリングギヤを形成しており、内燃機関１の始動時には、このリングギヤと図示しないスタータモータのピニオンギヤとが噛み合って、クランクシャフト５を回転できる構造とされている。またフライホイール７の、円板形状の表面は平らになっている。この表面に図示しないクラッチディスクが押し付けられると、クランクシャフト５の回転がクラッチディスクに伝えられて、内燃機関１の動力がトランスミッションに伝達するようになっている。
【００２３】
クランクシャフト５の内燃機関前方側の端部に装着されているクランクプーリ６は、クランクシャフト５の回転軸の振動を弾性体によって吸収減衰する、ダンパプーリとすることができる。図２は、ダンパプーリとしての、クランクプーリの構成を示す部分断面模式図である。図２に示すように、クランクプーリ６は、中空の円環形状のダンパマス２１，２３と、ダンパマス２１の内部に円筒形状に配置された弾性体としてのダンパゴム２２と、ダンパマス２３の内部に円筒形状に配置された弾性体としてのダンパゴム２４と、クランクプーリ６の内周部を形成しクランクシャフト５の回転軸に固定されるハブ２６とを含む。ダンパマス２１，２３およびハブ２６は、たとえば鋳鉄などの金属製とすることができる。ダンパゴム２２，２４は、たとえばＥＰＤＭ（エチレン−プロピレン−ジエン共重合）ゴムを用いて形成することができる。
【００２４】
ダンパマス２１の外周面には、当該外周面の周方向に沿って延在する、複数本のＶ溝２５が形成されている。図１に示す、クランクシャフト５からカムシャフト１３へ動力を伝達するタイミングベルト１２は、Ｖ溝２５が形成されているダンパマス２１の外周面に巻き掛けられる。つまり、Ｖ溝２５が形成されているダンパマス２１の外周面が、プーリとして機能している。
【００２５】
図２に示すクランクプーリ６では、ハブ２６とダンパマス２１，２３との間にダンパゴム２２，２４を配置している。そのため、クランクシャフト５の回転時に、ハブ２６とダンパマス２１，２３とがダンパゴム２２，２４を挟んで共振運動することにより、クランクシャフト５の振動を吸収減衰することができる。なお、クランクプーリ６は、図２に示す構造に限られるものではなく、シングルタイプの構造であってもよい。
【００２６】
以下、円形部材としてのクランクプーリ６、フライホイール７の少なくともいずれか一方に設けられる、アンバランスマスについて説明する。図３は、内燃機関を駆動すると円形部材に発生する、円形部材を偏心させる力の方向の一例を示す図である。図３には、右回りに回転する、内燃機関としてのＶ型８気筒エンジンをエンジン前方側から見た場合の、エンジン駆動時に円形部材に発生する、円形部材を偏心させる力の例を示す。
【００２７】
エンジン駆動時には、主にピストン３の往復運動がコンロッド４によって回転運動に変換される動きにより、クランクシャフト５には振動が発生する。この振動によって、クランクシャフト５の回転軸および円形部材には、回転の中心を円形部材の平面形状である円の中心から偏らせる力が負荷される。この力が加えられる方向は、エンジンの種類毎に異なり、エンジンの特性に依存して特定の方向となる。たとえば右回りに回転するＶ型８気筒エンジンをエンジン前方側から見た場合には、図３に示すように、クランクプーリ６の平面形状である円の中心からキー溝側を向いた方向である、約２７０°の方向に偏る力が働くことになる。
【００２８】
そこで、円形部材には、上記力の加えられる方向に対し、円形部材の平面形状である円の中心から円形部材の重心に向かう方向が逆方向となるように、アンバランスマスを設けてやればよい。このようにすれば、アンバランスマスが、円形部材を偏心させる力を打ち消す方向にアンバランスを発現するために、エンジン駆動時の円形部材全体としてのアンバランスは低減する。アンバランスマスが発現するアンバランスがクランクシャフト５のトルク変動を相殺し、エンジンのトルク変動が打ち消される。その結果、円形部材の振動を低減することができるので、騒音の発生を抑制することができる。
【００２９】
クランクシャフト５に装着される部品のうち、ピストン３から最も遠く離れた位置にある、クランクプーリ６またはフライホイール７にアンバランスマスを設ける。そのため、アンバランスマスが発現するアンバランスの影響がより大きくなり、振動を低減する効果をより効率的に得ることができる。
【００３０】
図４は、円形部材に設けられるアンバランスマスの配置の一例を示す図である。図３に示す方向に円形部材を偏心させる力が働く場合には、たとえば図４に示すように、円形部材の外周部の２箇所に小片３１を設置する。小片３１を設置した箇所では小片３１の重量が増加するので、小片３１を設置した２箇所の重量が円形部材のその他の箇所に対して相対的に大きくなる。そのため、エンジンの駆動時にクランクシャフト５の回転に伴って円形部材が回転運動すると、小片３１を設置した２箇所に対して加わる遠心力が、円形部材のその他の箇所に対して大きくなる。
【００３１】
円形部材の小片３１を設置した２箇所に働く遠心力を図４中の矢印３２に示す。この２つの矢印３２によって示される遠心力を合成すると、円形部材には、矢印３３によって示される方向に、力が加えられることになる。この矢印３３で示す方向は、円形部材の平面形状である円の中心から円形部材の重心に向かう方向であって、エンジン駆動時に円形部材に発生する円形部材を偏心させる力に対して逆方向の力となる。このようにして、円形部材を偏心させる力は打ち消されるので、円形部材全体としてのアンバランスを低減することができる。
【００３２】
円形部材の円の中心から離れた外周部に小片３１を設置するので、遠心力を大きくする効果をより効率的に得ることができる。また、２つの重量物である小片３１が設置されており、円形部材の複数箇所に重量が付加されているために、円形部材をより安定して回転させることが可能な構造とされている。
【００３３】
円形部材に付与するアンバランスマスとしては、図４に示す小片３１を追加するほか、円形部材の中心から見て円形部材を偏心させる力が加えられる方向に沿った円形部材の一部を除去して、当該方向の円形部材の重量を低減することにより、当該方向に働く遠心力を低減することも可能である。除去される一部は円形部材の外周部であれば、遠心力を低減させる効果がより大きくなるため好ましい。たとえば円形部材がクランクプーリ６である場合には、ダンパマス２３の外周部に小片３１などの錘部材を設置する、または、ダンパマス２３の外周部に切欠きや穴あけ加工を施す、もしくはダンパマス２３を薄肉化するなどの各種加工によって、クランクプーリ６にアンバランスマスを付与することができる。
【００３４】
図３および図４に示すように、円形部材にアンバランスマスを付与するために最適な位置は、エンジンの種類によって決定される。そのため、アンバランスマスは、エンジンの組立ての段階で、円形部材に設けることが可能である。アンバランスマスは、内燃機関の組立て完了以前に、円形部材に設けることができる。すなわち、アンバランスマスは、内燃機関を構成する複数の部品の個々を組み合わせて一つのまとまった内燃機関の形状を作り上げる工程中において、換言すると、各部品が組み付けられ結合された後に内燃機関を検査または調整する工程よりも前の工程において、円形部材に設けることができる。
【００３５】
エンジンの組立ての段階でアンバランスマスを設置してエンジンのバランス修正を完了すれば、個々のエンジンについてアンバランス測定を行なう検査において、規定のアンバランス値を外れる不合格品の数を大幅に低減することができる。つまり、上記検査において規定のアンバランス値を満足したエンジンについて、検査後にバランス修正を行ないその後再検査する必要はない。したがって、エンジンの製造工程を短縮することができるので、エンジンの生産性を向上させることができ、エンジンのコスト低減を達成することができる。
【００３６】
次に、本実施の形態の内燃機関の製造方法について説明する。図５は、内燃機関の製造方法の一部工程を示す流れ図である。図５には、内燃機関の製造方法を示す工程のうち、本発明と関連する一部の工程のみを示しており、本発明と関連しない他の工程については省略されている。
【００３７】
図５に示すように、工程（Ｓ１０）において、クランクシャフト５を形成する。次に工程（Ｓ２０）において、平面形状が円形状の円形部材、すなわち、クランクプーリ６およびフライホイール７を形成する。次に工程（Ｓ３０）において、円形部材にアンバランスマスを設ける。このときアンバランスマスは、内燃機関を駆動すると円形部材に発生する、円形部材を偏心させる力の方向に対し、円形部材の平面形状である円の中心から円形部材の重心に向かう方向が逆方向となるように、円形部材に設けられる。次に工程（Ｓ４０）において、円形部材をクランクシャフト５の端部に装着する。つまりアンバランスマスは、円形部材がクランクシャフト５の端部に装着される以前に、円形部材に設けられている。
【００３８】
上記（Ｓ１０）〜（Ｓ４０）は、内燃機関１を組み立てる工程（Ｓ１００）に含まれる。次いで、工程（Ｓ２００）において、内燃機関１を検査する。ここで、この内燃機関１の製造方法によると、内燃機関１を組み立てる工程（Ｓ１００）の段階で円形部材にアンバランスマスが設けられている。つまり、アンバランスマスは内燃機関１の組立て完了以前に円形部材に設けられており、内燃機関１の組立て完了以前にバランス調整が完了している。そのため、工程（Ｓ２００）の検査において、規定のアンバランス値を外れる不合格品の数は、従来の製造方法と比較して大幅に低減している。工程（Ｓ２００）の検査において規定のアンバランス値を満足した内燃機関１は、検査後にバランス修正を行ないその後再度検査する必要はない。
【００３９】
従来の内燃機関の製造方法では、個々の内燃機関を組み立てた後にアンバランスを測定し、規定のアンバランス値を満たさない製品についてバランス修正を行なって、その後さらに再検査を行なう必要があった。これに対し、本発明の内燃機関の製造方法によると、規定のアンバランス値を満足した個々の内燃機関に対して、アンバランス測定およびバランス修正をする工程を省略することができる。したがって、内燃機関の生産性を向上させることができるので、内燃機関の製造コストを低減させることができる。
【００４０】
なお、円形部材をクランクシャフトの端部に装着する工程（Ｓ４０）の後に、アンバランスマスを円形部材に形成してもよい。つまり、図５に示す工程（Ｓ３０）と（Ｓ４０）とは、順序を入れ替えても構わない。
【００４１】
これまでの説明においては、クランクシャフト５の内燃機関後方側の端部にはフライホイール７が装着されている例について説明したが、オートマチックトランスミッションが取り付けられた車両に搭載される内燃機関の場合、クランクシャフト５の内燃機関後方側の端部には、フライホイール７に代えてドライブプレートが設けられる。この場合には、ドライブプレートにアンバランスマスを設けることにより、内燃機関のバランス修正を行なうことができる。
【００４２】
また、上記実施の形態では、図３および図４によって右回りのＶ型８気筒エンジンに発生するアンバランスの例を示したが、本発明は、右回りのＶ型８気筒エンジンに限られず、たとえばＶ型６気筒エンジンなどの多気筒エンジン、単気筒、直列型などの各種形式の内燃機関にも適用できることは勿論である。
【００４３】
今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【産業上の利用可能性】
【００４４】
本発明の内燃機関およびその製造方法は、車両に搭載される内燃機関およびその製造方法に、特に有利に適用され得る。
【図面の簡単な説明】
【００４５】
【図１】本実施の形態の内燃機関の構成を示す部分断面模式図である。
【図２】クランクプーリの構成を示す部分断面模式図である。
【図３】内燃機関を駆動すると円形部材に発生する、円形部材を偏心させる力の方向の一例を示す図である。
【図４】円形部材に設けられるアンバランスマスの配置の一例を示す図である。
【図５】内燃機関の製造方法の一部工程を示す流れ図である。
【符号の説明】
【００４６】
１  内燃機関、２  シリンダ、３  ピストン、４  コンロッド、５  クランクシャフト、６  クランクプーリ、７  フライホイール、８  ウォータージャケット、９  冷却水、１０  オイルパン、１１  潤滑オイル、１２  タイミングベルト、１３  カムシャフト、１４  吸気バルブ、１５  排気バルブ、１６  点火プラグ、２１，２３  ダンパマス、２２，２４  ダンパゴム、２５  Ｖ溝、２６  ハブ、３１  小片。
【図１】
2009167974.tif 000003
【図２】
2009167974.tif 000004
【図３】
2009167974.tif 000005
【図４】
2009167974.tif 000006
【図５】
2009167974.tif 000007